(57)【要約】【課題】ゴキブリが好む狭い場所が設置しやすい捕獲器が無かった。また、箱状体の平面積に比較して高さが低い平面状の箱状体の場合、中央が上から押された場合潰れやすい課題があった。  【解決手段】上面板１と下面板２が平行な平面板からなり、中仕切り壁２によって区分けされ上面板１、下面板２，側面板３、中仕切り壁５及び前後面板７によって囲まれた複数の空間部部である捕獲室６を形成し、それぞれの捕獲室６の前後面板７、７は、下面板２からの角度調節を自由に設けられ、前後面板７にゴキブリが進入可能な大きさの進入口８を設け、かつ進入口８の上方に庇部９を設け、両側面板３、３に高さ調節用水平折曲部４、４を有するとともに、ゴキブリが進入可能な大きさの進入口１１を設け、かつ進入口１１の上方に庇部１２を設けるゴキブリ捕獲器及びその組立方法による。【選択図】  図１
2010057370.tif 000002
【特許請求の範囲】
【請求項１】
粘着剤を箱状体床面に設けてゴキブリを捕獲するゴキブリ捕獲装置において、
上面板と下面板が平行な平面板からなり、
中仕切り壁によって区分けされ上面板、下面板、側面板、中仕切り壁及び前後面板によって囲まれた複数の空間部部である捕獲室を形成し、
それぞれの捕獲室の前面板と後面板は、下面板からの角度調節を自由に設けられ、前面板と後面板にゴキブリが進入可能な大きさの進入口を設け、かつ進入口の上方に庇部を設け、
両側面板に高さ調節用水平折曲部を有するとともに、ゴキブリが進入可能な大きさの進入口を設け、かつ進入口の上方に庇部を設けることを特徴とするゴキブリ捕獲器。
【請求項２】
粘着剤を箱状体床面に設けてゴキブリを捕獲するゴキブリ捕獲装置において、
上面板と下面板が平行な平面板からなり、
中仕切り壁によって区分けされ上面板、下面板、側面板、中仕切り壁及び前後面板によって囲まれた複数の空間部部である捕獲室を形成し、
それぞれの捕獲室の前面板と後面板は、下面板からの角度調節を自由に設けられ、前面板と後面板にゴキブリが進入可能な大きさの進入口を設け、かつ進入口の上方に庇部を設け、
両側面板に高さ調節用水平折曲部を有するとともに、ゴキブリが進入可能な大きさの進入口を設け、かつ進入口の上方に庇部を設けるとともに、
捕獲室の上面板にゴキブリが進入可能な大きさの進入口を設けることを特徴とするゴキブリ捕獲器。
【請求項３】
箱状体が、展開かつ折り畳み可能な組み立て式の１枚の板状体から成り、上面板が中仕切り壁を境として２面からなる請求項１又は請求項２に記載のゴキブリ捕獲器。
【請求項４】
粘着剤を箱状体床面に設けてゴキブリを捕獲するゴキブリ捕獲装置の組立方法であり、展開かつ折り畳み可能な１枚の板状体からなり、
下面板と左右の側面板との角部となる折り線と、左右の側面板と上面板１との角部となる折り線と、一方の上面板と中仕切り壁との角部となる折り線と、他方の上面板と中仕切り壁との角部となる折り線と、下面板と前面板及び後面板との間の折れ線とを、それぞれ折り曲げるとともに、
他方の上面板と中仕切り壁との角部となる折り線で折り曲げられなかった残りの突起部分を一方の上面板の折り線の孔部に挿入させることにより、中仕切り壁を形成するとともに、一方に上面板と他方の上面板が同平面となり一面の上面板１として形成されることを特徴とするゴキブリ捕獲装置の組立方法。
【発明の詳細な説明】
【技術分野】
【０００１】
この発明は、ゴキブリの捕獲器、詳細には板状体を組み立ててなる箱状体の床面に粘着剤を有するゴキブリ捕獲器及びゴキブリ捕獲器の組立方法に関する。
【背景技術】
【０００２】
ゴキブリ捕獲器は、一般的に紙状や樹脂製の板状体を組み立てて形成される波高状体からなり、床面に粘着剤をシート若しくは直塗りしてゴキブリを捕獲し使い捨てする形態であり、以下のような様々な形状のものが知られている。
【０００３】
実開平５−７０８１号公報（従来技術１）には「 狭い隙間にも設置することができ、床面だけでなく壁面を這っているゴキブリも捕獲することができるゴキブリ捕獲器」が開示されており、その構成は「 捕獲器本体（１）の底面と一側面を略垂直状に形成し、それぞれの内面に粘着面（２）、（３）を設けることを特徴」としている。
【０００４】
実開平６−１５４７７号公報（従来技術２）には、「ゴキブリ捕獲器の使用時の設置場所を拡大し、且つ捕獲効果の向上を計り、ゴキブリ捕獲容器１と組立て状態の該ゴキブリ捕獲容器１の上面並びに周側面を覆うためのトンネル状カバー２とを組合わせたことを特徴とする」ゴキブリ捕獲器が開示されている。
【０００５】
実開平６−３８５５１号公報（従来技術３）は、「従来設置困難であった狭い隙間部分、あるいは壁面に容易に設置可能な粘着式のゴキブリ捕獲器」であり、「 一面の全面に捕獲用粘着層を設け、他面の少なくとも一側縁部に取り付け用粘着層を設けた方形の紙板に、平行状複数本の折り目線を形成し、折り目線より折り曲げ筒状に組み立てて、あるいは平板状のまま設置場所に応じてその形状を変え、設置使用する」ゴキブリ捕獲器が開示されている。
【０００６】
更に、特開平１０−１６５０６９号公報（従来技術４）に「粘着剤を利用したゴキブリ捕獲器であって、捕獲器内部に侵入したゴキブリの歩行を効果的に妨害することにより捕獲器外部への逃亡を確実に防止することができるゴキブリ捕獲器を提供する 少なくとも底部を備えた捕獲器本体１からなり、当該捕獲器本体１の底部３の上面に粘着部２を有するゴキブリ捕獲器であって、前記粘着部２に複数の突条９が配列され、かつ前記突条９の少なくとも一部が水平方向に曲げられてなることを特徴とするゴキブリ捕獲器。」が開示されている。
【０００７】
また、特開２００６−３２５４７２号公報（従来技術５）には、「組立作業が簡単に行えるゴキブリ捕獲器」であって、「底壁１と側壁２，３と天壁４，５とから捕獲器本体が構成され、側壁２，３を折り曲げて、捕獲器本体を平坦に折畳み、側壁２，３を伸ばして、捕獲器本体を立体に組立てるゴキブリ捕獲器であって、底壁１の上面に、ゴキブリ捕獲用の粘着剤層Ｘを形成し、天壁の下面に、粘着剤層保護用の剥離紙Ｙを接着しており、剥離紙Ｙの天壁４，５に対する接着力が、粘着剤層への粘着力よりも強い。側壁２，３は、底壁１の対向する二辺に設けられた立壁６，７と、他の対向する二辺に設けられた折畳み壁２，３とからなり、立壁６，７には、係止用の第１切込み６５，７５が形成されており、折畳み壁２，３には、折畳み壁の伸長動作に伴って倒れ込む係止片６６，７６が設けられており、係止片６６，７６が倒れ込んだとき第１切込み６５，７５に係合する」ゴキブリ捕獲器が開示されている。
【特許文献１】実開平５−７０８１号公報（従来技術１）
【特許文献２】実開平６−１５４７７号公報（従来技術２）
【特許文献３】実開平６−３８５５１号公報（従来技術３）
【特許文献４】特開平１０−１６５０６９号公報（従来技術４）
【特許文献５】特開２００６−３２５４７２号公報（従来技術５）
【発明の開示】
【発明が解決しようとする課題】
【０００８】
ゴキブリ捕獲器を設置したい場所は、ゴキブリが好む狭い場所が多く、箱状体の高さが比較的高い場合や、形状が天井の屋根状の場合など設置できない場所が多かった。
【０００９】
また、箱状体の平面積に比較して高さが低い平面状の箱状体の場合、中央が上から押された場合潰れやすい課題があった。  
【００１０】
ゴキブリは、壁面に沿って歩行するため同じ平面積でも広い面積の捕獲室であると、無駄な空間となってしまう課題があった。
【００１１】
更に、従来のゴキブリ捕獲器であると、ゴキブリの習性から捕獲室の四方の壁面近くを歩行するため、壁面の近い場所で捕獲され、捕獲室の中央部分の場所の捕獲が少ない課題があった。
【課題を解決するための手段】
【００１２】
上記課題を解決するため、粘着剤を箱状体床面に設けてゴキブリを捕獲するゴキブリ捕獲装置において、
上面板と下面板が平行な平面板からなり、
中仕切り壁によって区分けされ上面板、下面板、側面板、中仕切り壁及び前後面板によって囲まれた複数の空間部部である捕獲室を形成し、
それぞれの捕獲室の前面板と後面板は、下面板からの角度調節を自由に設けられ、前面板と後面板にゴキブリが進入可能な大きさの進入口を設け、かつ進入口の上方に庇部を設け、
両側面板に高さ調節用水平折曲部を有するとともに、ゴキブリが進入可能な大きさの進入口を設け、かつ進入口の上方に庇部を設けることを特徴とするゴキブリ捕獲器を提案する。
【００１３】
また、粘着剤を箱状体床面に設けてゴキブリを捕獲するゴキブリ捕獲装置において、
上面板と下面板が平行な平面板からなり、
中仕切り壁によって区分けされ上面板、下面板、側面板、中仕切り壁及び前後面板によって囲まれた複数の空間部部である捕獲室を形成し、
それぞれの捕獲室の前面板と後面板は、下面板からの角度調節を自由に設けられ、前面板と後面板にゴキブリが進入可能な大きさの進入口を設け、かつ進入口の上方に庇部を設け、
両側面板に高さ調節用水平折曲部を有するとともに、ゴキブリが進入可能な大きさの進入口を設け、かつ進入口の上方に庇部を設けるとともに、
捕獲室の上面板にゴキブリが進入可能な大きさの進入口を設けることを特徴とするゴキブリ捕獲器を提案する。
【００１４】
更に、箱状体が、展開かつ折り畳み可能な組み立て式の１枚の板状体から成る００１２欄又は００１３欄に記載のゴキブリ捕獲器を提案する。
【００１５】
更に又、粘着剤を箱状体床面に設けてゴキブリを捕獲するゴキブリ捕獲装置の組立方法であり、展開かつ折り畳み可能な１枚の板状体からなり、
下面板と左右の側面板との角部となる折り線と、左右の側面板と上面板１との角部となる折り線と、一方の上面板と中仕切り壁との角部となる折り線と、他方の上面板と中仕切り壁との角部となる折り線と、下面板と前面板及び後面板との間の折れ線とを、それぞれ折り曲げるとともに、
他方の上面板と中仕切り壁との角部となる折り線で折り曲げられなかった残りの突起部分を一方の上面板の折り線の孔部に挿入させることにより、中仕切り壁を形成するとともに、一方に上面板と他方の上面板が同平面となり一面の上面板１として形成されることを特徴とするゴキブリ捕獲装置の組立方法を提案する。
【発明の効果】
【００１６】
この発明によれば、箱状体が、上下面が平行な平面からなり両側面に高さ調節用水平折曲部を有するために、中仕切り壁によって区分けされた複数の捕獲室を前後方向に設けられているため、箱状体の高さをゴキブリが入り得るぎりぎりの高さまで低くできると共に上下方向から押されても潰れにくい効果がある。高さが低いが中仕切り壁によって上下方向から押されても潰れにくいため中仕切り壁を跨いだ広い床面積に渡る１枚の粘着トラップを設けることができる。
【００１７】
また、中仕切り壁を設け、捕獲室を複数、２つ以上設けてあるので今までの平面積であっても壁面が多くなり、よりゴキブリの誘引を行いやすい効果がある。
【００１８】
更に請求項２に係る発明であると、捕獲室の上面にゴキブリが進入可能な大きさの進入口を設けてあるので上面からのゴキブリを侵入させ捕獲室床面の中央においてもゴキブリを捕獲することができる。
【００１９】
更に、この発明のゴキブリ捕獲器の組立方法であると、非常に容易にかつ短時間に組み立てられるとともに、箱状体の高さの調節も容易にできる。
【発明を実施するための最良の形態】
【００２０】
この発明を１つの実施形態を示す斜視図である図１、平面図である図２、正面図である図３、側面図である図４、展開図である図５について説明する。
【００２１】
この発明のゴキブリ捕獲装置は、上面板１と下面板２が平行な平面板からなり、左右の両側面板３、３に高さ調節用水平折曲部４、４を有し、左右の両側面板３、３と平行な中仕切り壁５を有する箱状体であり、図５に示す１枚の紙板状体を折り曲げて組み立てる。
【００２２】
上面板１は、中仕切り壁５によって分かれた２つの上面板１ａ、１ｂを隣接して連続した１つの平面として形成されている。下面板２は、一つの板状体からなる。
【００２３】
この実施の形態では１壁の中仕切り壁５を左右両側面板３、３の中間に設けて、その左右に位置する２つの空間を捕獲室６，６として形成しているが、中仕切り壁５を複数設けて捕獲室６の数を増やしてもよい。中仕切り壁５には、ゴキブリが通行可能な中孔１３を複数開口している。捕獲室６，６は、上面板１、下面板２、側面板３、中仕切り壁５、前面板７及び後面板７に囲まれた空間である。捕獲室６，６の下面板２の上面である床面に粘着剤を設ける。粘着剤の他、ゴキブリ誘引剤を設けておいてもよい。
【００２４】
両側面板３、３と直角方向の外側壁部分を便宜上、前面板７、後面板７と称するが、前後の違いはなく前面板７と後面板７は同じである。前面板７と後面板７は、下面板２から連続した突起板状体を折り曲げることによって下面板２との角度を調節自由に設けられている。前後面板７，７には進入可能な大きさの前後進入口８、８をそれぞれ設けており、かつそれぞれの前後進入口８、８の上方に前後庇部９、９を設けている。前後庇部９、９は、上面板１の前後端部であり前後進入口８、８の上方に水平に設けられている。前後進入口８、８の一つの大きさは、ゴキブリが間隔を空けずに進入可能な大きさが好ましい。
【００２５】
それぞれの捕獲室６、６の上面板１、１にゴキブリが進入可能な大きさの上面進入口１０を設けている。上面進入口１０は、少なくとも左右の中央部分に一つ設ければよいが、この実施の形態では円形孔を中央にある中仕切り壁５で半円ずつに分けられ、左右の中央部分の前後方向に２つずつ合計４つの孔が設けられている。上面進入口１０の一つの大きさは、ゴキブリが間隔を空けずに進入可能な大きさが好ましい。
【００２６】
左右両側面３、３には高さ調節用水平折曲部４、４を設けるとともに、複数、この実施形態では４つの側面進入口１１を略等間隔で設け、それぞれの側面進入口１１の上方に側面庇部１２を設けている。それぞれの側面進入口１１は、ゴキブリが間隔を空けずに進入可能な高さで幅方向はやや広い。側面庇部１２は、上面板１の左右端部から突起しており、それぞれの側面進入口１１の上方に水平方向に設けられている。
【００２７】
左右両側面３、３は、線状部である高さ調節用水平折曲部４、４から折り曲げて上部と下部に角度を設けることと、それぞれの、この実施の形態では計４枚の前後面板７が、下面板２から角度を調節自由に折り曲げることができ、更に中仕切り壁５も上面板１から曲げる角度を変更できるため、上面板１と下面板２との高さ調節を高くしたり低くしたりする調整が可能である。このゴキブリ捕獲器の箱状体の高さは、１０ｍｍ程度であるが、これより低くすることも可能である。
【００２８】
次に、この発明を１つの実施形態を示すゴキブリ捕獲装置である箱状体を１枚の紙板状体から組み立てる方法について説明する。図５に示す１枚の紙板状体の２つの折り線Ａ、Ａから同じ方向に直角よりやや鋭角に折り曲げる。折り線Ａ、Ａは、下面板１と左右の側面板３との角部になり、高さ調節用水平折曲部４から下部は斜面となり、上部は略垂直面となる。左右の側面板３，３の下部と下面板２との成す角度は調節自在であり、この角度を調節することにより、上面板１と下面板２との高さを変更することができる。
【００２９】
次に左右の側面板３、３と上面板１との角部となる折り線Ｂ、Ｂを略直角に折り曲げる。次に一方の上面板１ａと中仕切り壁５ａとの角部となる折り線Ｃを略直角に折り曲げ、他方の上面板１ｂと中仕切り壁５ｂとの角部となる折り線Ｄをほぼ直角に折り曲げる。そして他方の折り線Ｄで折り曲げられなかった残りのＥ部は上面板１ｂと同じ水平面の挿入突起部分となり、この挿入突起部分Ｅを一方の上面板１ａの折り線Ｃの孔部となるＦに挿入させることにより、中仕切り壁５を形成させ、一方の上面板１ａと他方の上面板１ｂが同平面となり一面の上面板１として形成される。
【００３０】
次に、下面板２と、前面板７と後面板７との間の折れ線Ｇを直角以上に折り曲げ、前面板７、後面板７と下面板１との成す角度をやや鋭角に形成する。この角度は、上面板１と下面板２との高さによっても変更することができる。
【００３１】
これらの各折り線Ａ，Ｂ、Ｃ、Ｄ、Ｇを折り曲げ、挿入突起部分Ｅを折り線Ｃの角部に形成される孔部Ｆに挿入することによって、組み上げられ２つの捕獲室６、６の空間が完成する。この組立方法に折り線の折り曲げ順序は、特定されない。
【産業上の利用可能性】
【００３２】
この発明は、家庭のダイニングキッチンや料理店などに置いてゴキブリを捕獲する装置として利用する。
【図面の簡単な説明】
【００３３】
【図１】この発明のゴキブリ捕獲器の１つの実施形態である斜視図
【図２】同じく平面図
【図３】同じく正面図
【図４】同じく側面図
【図５】同じく展開図
【符号の説明】
【００３４】
１  上面板
２  下面板
３  側面板  
４  高さ調節用水平折曲部
５  中仕切り壁
６  捕獲室
７  前面板、後面板
８  前後進入口
９  前後庇部
１０  上面進入口
１１  側面進入口
１２  側面庇部
１３  中孔
Ａ  下面板と側面板との折り線
Ｂ  側面板と上面板との折り線
Ｃ  一方の上面板と中仕切り壁との折り線
Ｄ  他方の上面板と中仕切り壁との折り線
Ｅ  折り線Ｄからの挿入部分
Ｆ  折り線Ｃの孔部
Ｇ  下面板と前面板、後面板との折り線
【図１】
2010057370.tif 000003
【図２】
2010057370.tif 000004
【図３】
2010057370.tif 000005
【図４】
2010057370.tif 000006
【図５】
2010057370.tif 000007